(57)【要約】【課題】シンクイムシやカイガラムシに対して高い防害虫効果を有するとともに、果実への薬害が無く、果実の残留農薬が残留農薬基準値以下となる果実袋１を提供する。【解決手段】ピレスロイド化合物と有機リン化合物とを塗布又は浸漬した原紙を製袋する果実袋１。好ましくは、ピレスロイド化合物はペルメトリンであって、有機リン化合物はダイアジノンである果実袋１。より好ましくは、ピレスロイド化合物は原紙１平方メートル当たり１．７２ミリグラム以上１７２．４１ミリグラム以下塗布又は浸漬され、有機リン化合物は原紙１平方メートル当たり５１．７２ミリグラム以上２０６．９０ミリグラム以下塗布又は浸漬される果実袋１。【選択図】図１
2008005828.tif 000002
【特許請求の範囲】
【請求項１】
ピレスロイド化合物と有機リン化合物とを塗布又は浸漬した原紙を製袋することを特徴とする果実袋。
【請求項２】
前記ピレスロイド化合物はペルメトリンであることを特徴とする請求項１記載の果実袋。
【請求項３】
前記有機リン化合物はダイアジノンであることを特徴とする請求項１又は２に記載の果実袋。
【請求項４】
前記ピレスロイド化合物は原紙１平方メートル当たり１．７２ミリグラム以上１７２．４１ミリグラム以下塗布又は浸漬されることを特徴とする請求項１乃至３のいずれかに記載の果実袋。
【請求項５】
前記有機リン化合物は原紙１平方メートル当たり５１．７２ミリグラム以上２０６．９０ミリグラム以下塗布又は浸漬されることを特徴とする請求項１乃至４のいずれかに記載の果実袋。
【発明の詳細な説明】
【技術分野】
【０００１】
本発明は、果実袋に関し、特に、防害虫効果の高い果実袋に関するものである。
【背景技術】
【０００２】
従来より、二十世紀梨その他の梨等の果実を生産する際には、シンクイムシ（モモシンクイガ、ナシヒメシンクイ等）やカイガラムシなどの害虫から果実を守るため、防害虫効果のある農薬の散布が行われてきた。特にシンクイムシ等の防害虫に効果のある薬剤として有機リン系の薬剤が用いられてきた（例えば特許文献１）。
【０００３】
ところで、シンクイムシの発生時期や発生回数は気象条件や栽培場所によって異なるので予想が困難である。そこで、農薬散布による防除では適切な時期に処理できず、農作物に甚大な被害を受けることも多い。
【０００４】
また、このように用いられる農薬は食品衛生法で定める残留農薬基準以下の残留値でなければならず、また、この農薬基準が所謂ポジティブリスト方式となったので、他の農作物に農薬が飛散しないようにする必要がよりいっそう高まってきている。
【０００５】
このようなことから、発生時期に関係なく害虫の防除が可能であり、農薬の飛散も起こらない方法として、防虫効果のある農薬を果実袋に塗布する方法が挙げられる（例えば特許文献２）。具体的には、有機リン系の薬剤であるスプラサイド（メチダチオン）を塗布した果実袋が用いられていた。
【０００６】
近年、スプラサイドを塗布した果実袋の運用が変わり、劇物として扱われることとなり、毒物及び劇物取締法に規定された管理が必要となったため、流通が困難となり、スプラサイドの代替としてトクチオン（プロチオホス）を塗布した果実袋が使用されるようになった。
【０００７】
【特許文献１】特開平５−２２１８１６号公報
【特許文献２】特開２００６−６７８４６号公報
【発明の開示】
【発明が解決しようとする課題】
【０００８】
しかし、トクチオン（プロチオホス）を塗布した果実袋では、シンクイムシの防除に十分な効果をあげることができず、また、カイガラムシを有効に防除するためには残留農薬基準値を超える量の薬剤の塗布が必要となる。
【０００９】
そこで本発明は、シンクイムシやカイガラムシに対して従来よりも高い防害虫効果を有するとともに、果実への薬害が無く、果実の残留農薬が残留農薬基準値以下となる果実袋を提供することを目的とする。
【課題を解決するための手段】
【００１０】
上記目的を達成するための請求項１の発明の果実袋は、ピレスロイド化合物と有機リン化合物とを塗布又は浸漬した原紙を製袋することを特徴とするものである。
【００１１】
請求項２の発明の果実袋は、請求項１記載の果実袋において、前記ピレスロイド化合物はペルメトリンであることを特徴とするものである。
【００１２】
請求項３の発明の果実袋は、請求項１又は２の果実袋において、前記有機リン化合物はダイアジノンであることを特徴とするものである。
【００１３】
請求項４の発明の果実袋は、請求項１乃至３のいずれか記載の果実袋において、前記ピレスロイド化合物は原紙１平方メートル当たり１．７２ミリグラム以上１７２．４１ミリグラム以下塗布又は浸漬されることを特徴とするものである。
【００１４】
請求項５の発明の果実袋は、請求項１乃至４のいずれか記載の果実袋において、前記有機リン化合物は原紙１平方メートル当たり５１．７２ミリグラム以上２０６．９０ミリグラム以下塗布又は浸漬されることを特徴とするものである。
【発明の効果】
【００１５】
請求項１に係る果実袋によると、ピレスロイド化合物と有機リン化合物とを塗布又は浸漬した原紙を製袋して果実袋とするので、薬剤を散布する場合のように薬剤が他の農作物や農作業者に飛散する被害を防ぐことができる。
【００１６】
また、シンクイムシ防除に効果の高いピレスロイド化合物とカイガラムシ防除に効果の高い有機リン化合物とを組み合わせることで、シンクイムシとカイガラムシのいずれにも効果を発揮することができる。さらに、ピレスロイド化合物と有機リン化合物とを組み合わせることで、それぞれを単独で用いる場合よりも高い殺虫効果、すなわち相乗効果を発現することが知られているので、本発明の果実袋は、従来よりも少ない薬剤量で比較的高い防虫効果を発揮することができる。
【００１７】
なお、モモシンクイガ、ナシヒメシンクイ等のシンクイムシやカイガラムシの被害は梨やりんごなどの仁果類の栽培に多く見られる被害であるので、本発明の果実袋を使用することによって、梨やりんごをより安全且つ効率的に栽培することができる。
【００１８】
請求項２に係る果実袋によると、ピレスロイド化合物はペルメトリンであるので、シンクイムシに対する防虫効果及び果実への低い残留性が明らかである。したがって、シンクイムシの防除に好適に用いることができる。
【００１９】
請求項３に係る果実袋によると、有機リン化合物はダイアジノンであるので、カイガラムシを好適に防除することができる。
【００２０】
請求項４に係る果実袋によると、ピレスロイド化合物は原紙１平方メートル当たり１．７２ミリグラム以上１７２．４１ミリグラム以下塗布又は浸漬されるので、この果実袋を被袋した果実に残留するピレスロイド化合物の量は０．０６ｐｐｍ以下という極めて低い値となり、より安全な果実を提供することができる。また、ピレスロイド化合物を原紙１平方メートル当たり１．７２ミリグラム以上塗布又は浸漬することにより、より好適にシンクイムシの防除を行うことができる。
【００２１】
請求項５に係る果実袋によると、有機リン化合物は原紙１平方メートル当たり５１．７２ミリグラム以上２０６．９０ミリグラム以下塗布又は浸漬されるので、この果実袋を被袋した果実に残留する有機リン化合物の量は１．００ｐｐｍ以下となる。例えば代表的な有機リン化合物であるダイアジノンに対する食品衛生法に基く残留農薬基準値は日本梨では０．１ｐｐｍであり、その他の果実についても０．１ｐｐｍから１ｐｐｍの範囲であるので、本発明の果実袋を被袋した果実の農薬残留値を農薬残留基準値以下の値とすることができる。また、有機リン化合物を原紙１平方メートル当たり５１．７２ミリグラム以上塗布又は浸漬することにより、より好適にカイガラムシの防除を行うことができる。
【発明を実施するための最良の形態】
【００２２】
本発明の果実袋１はピレスロイド化合物と有機リン化合物とを塗布又は浸漬したものである。本発明のピレスロイド化合物には、主なものとして、ピレトリンＩ、ピレトリンＩＩ、シネリンＩ、シネリンＩＩ、ジャスモリンＩ、ジャスモリンＩＩ、アレスリンＩ、アレスリンＩＩ、Ｄ−テトラメトリン、レスメトリン、フラメトリン、フェノトリン（スミスリン）、ペルメトリン、シフェノトリン、ブラトリン、エトフェンプロックス（ベクトロン）、シフルトリン、テフルトリン、ビフェントリン、レスメトリン、シペルメトリン、フルバリネート等が挙げられる。
【００２３】
本発明の有機リン化合物には、主なものとして、ダイアジノン、プロチオホス（トクチオン）、ジクロルボス（ＤＤＶＰ）、テメホス(アベイト)、ピリダフェンチオン(オフナック)、トリクロルホン(ディプテレックス)、フェニトロチオン(スミチオン)、フェンチオン(バイテックス)、プロペンタホス(サフロチン)、クロロピリホスメチル(ザーテル)、マラソン、スプラサイド、オルトラン、カルホス等が挙げられる。
【００２４】
なお、本発明に係るペルメトリンは各異性体を含むものであり、ペルメトリンの量は各異性体の和である。
【００２５】
本発明の果実袋１は、白色模造紙、褐色模造紙、赤色模造紙、筋入りクラフト紙、筋無クラフト紙、新聞用原紙などの種類の果実袋原紙を用いて製造できる。なおパラフィンワックスやエマルジョンワックスなどを用いて撥水加工する場合には、撥水加工前の原紙にピレスロイド化合物及び有機リン化合物を塗布または浸漬して、その後、パラフィン加工やエマルジョン加工するか、もしくは、液状のパラフィンワックスやエマルジョンワックスにピレスロイド化合物及び有機リン化合物を溶解させた混合液を用いて、パラフィン加工やエマルジョン加工することで、果実袋原紙により好適にピレスロイド化合物及び有機リン化合物を付着又は含浸させることができる。
【００２６】
また、本発明の果実袋１は、ピレスロイド化合物及び有機リン化合物を溶解させた水溶液が付着したローラを果実袋の原紙に密着させることで塗布する塗布装置やピレスロイド化合物及び有機リン化合物を溶解させた水溶液をスプレーにより原紙に噴射する塗布装置などの公知の塗布装置を用いて製造できる。
【００２７】
また、塗布装置によって、果実袋原紙に、ピレスロイド化合物の水溶液を塗布し、その後で有機リン化合物の水溶液を塗布してもよく、有機リン化合物の水溶液を塗布した後でピレスロイド化合物の水溶液を塗布してもよい。
【００２８】
また、ピレスロイド化合物の水溶液と有機リン化合物の水溶液とを混合した混合液に果実袋原紙を浸けることにより製造してもよく、ピレスロイド化合物の水溶液に浸漬した後、有機リン化合物の水溶液に浸漬して製造してもよい。また、有機リン化合物の水溶液に浸漬した後、ピレスロイド化合物の水溶液に浸漬してもよい。
【００２９】
例えば、ピレスロイド化合物の２０パーセント水溶液０．４３１グラム及び有機リン化合物の２０パーセント水溶液４．３１グラムをパラフィンワックス１キログラムに混入し、果実袋原紙を混合液に浸漬させると、果実袋原紙１平方メートル当たり１０グラムの混合液が含浸する。したがって、このようにして製造すると、果実袋原紙１平方メートル当たりピレスロイド化合物８．６２ミリグラム及び有機リン化合物８６．２１ミリグラム含有し、標準的な梨用果実袋のサイズである５８０平方センチメートル当たりピレスロイド化合物０．５０ミリグラム、有機リン化合物５．００ミリグラムが含まれる果実袋１を製造できる。
【００３０】
本発明の果実袋１を利用して果実を栽培するときに、開花後２０日頃の幼果に、防菌処理を施した小袋掛けを行い、更に成長が進んで、開花後５０日頃の果実に、本発明の果実袋１を被袋する。なお、このように幼果に対して小袋掛けを行うことなく、大袋のみを袋掛けする栽培方法においても、本発明の果実袋１は適用できる。
【００３１】
本発明の果実袋は、１重の果実袋１であっても、内袋３と外袋２とを備える２重の果実袋１であってもよく、２重の果実袋１とするときにはピレスロイド化合物及び有機リン化合物を内袋３と外袋２とのどちらに塗布又は浸漬してもよい。また、ピレスロイド化合物又は／及び有機リン化合物を果実袋原紙に塗布する場合に、袋の表面となる面に塗布してもよく、袋の裏面となる面に塗布してもよい。なお、図１及び図２において本発明に係る果実袋の一例として２重の果実袋１を提示しているが、上述の通り１重の果実袋であっても良い。
【００３２】
[農薬残留量の調査]
各種の農薬が食品衛生法により定められる基準（以下残留農薬基準値という）を超えて残留する食品は日本国内で流通及び販売することができない。そこで、ピレスロイド化合物であるペルメトリンを浸漬した果実袋、有機リン化合物であるプロチオホスを浸漬した果実袋、及び、有機リン化合物であるダイアジノンを浸漬した果実袋のそれぞれを被袋して栽培した二十世紀梨の農薬残留値を調査した。
【００３３】
なお、二十世紀梨等の日本梨の残留農薬基準値は、下記の表１に示すように、ペルメトリンが２．０ｐｐｍ、プロチオホスが０．１ｐｐｍ、ダイアジノンが０．１ｐｐｍである。したがって、この値を超えて農薬が残留する日本梨を流通及び販売することはできない。
【００３４】
表１に示す１から１２の各区分毎に、無作為に抽出した二十世紀梨２００個にそれぞれの果実袋を被袋した。被袋した期間は６月２０日から８月２５日までの間であり、８月２５日に各区分の二十世紀梨８０個を採取して調査を行った。
【００３５】
区分１の果実袋は農薬を塗布及び浸漬のいずれもしていない。区分２の果実袋には、ペルメトリンを果実袋の原紙１平方メートル当たり１．７２ミリグラム浸漬した。区分３の果実袋には、ペルメトリンを果実袋の原紙１平方メートル当たり８．６２ミリグラム浸漬した。区分４の果実袋には、ペルメトリンを果実袋の原紙１平方メートル当たり２５．８６ミリグラム浸漬した。区分５の果実袋には、ペルメトリンを果実袋の原紙１平方メートル当たり５１．７２ミリグラム浸漬した。区分６の果実袋には、ペルメトリンを果実袋の原紙１平方メートル当たり１７２．４１ミリグラム浸漬した。区分７の果実袋には、プロチオホスを果実袋の原紙１平方メートル当たり８．６２ミリグラム浸漬した。区分８の果実袋には、プロチオホスを果実袋の原紙１平方メートル当たり１７．２４ミリグラム浸漬した。区分９の果実袋には、ダイアジノンを果実袋の原紙１平方メートル当たり５１．７２ミリグラム浸漬した。区分１０の果実袋には、ダイアジノンを果実袋の原紙１平方メートル当たり８６．２１ミリグラム浸漬した。区分１１の果実袋には、ダイアジノンを果実袋の原紙１平方メートル当たり１３７．９３ミリグラム浸漬した。区分１２の果実袋には、ダイアジノンを果実袋の原紙１平方メートル当たり２０６．９０ミリグラム浸漬した。
【００３６】
調査結果は表１に示すとおりである。
【表１】
2008005828.tif 000003
【００３７】
次に本発明の果実袋を被袋して栽培を行った二十世紀梨のシンクイムシ及びカイガラムシ被害について調査を行った。
【００３８】
[実施例１]
無作為に抽出した二十世紀梨１００個の幼果に防菌剤としてダコニールを塗布した小型の果実袋を被袋した後、６月２０日に大型の果実袋（以下において、大袋という）を被袋した。その後、９月５日に５０個の二十世紀梨を採取して調査した。
【００３９】
実施例１に用いた大袋２は、液状のパラフィンワックス１００キログラムにペルメトリン１７．２４グラム及びダイアジノン５１７．２４グラムを混入した混合液に、果実袋の原紙を浸漬した。なお、この時、果実袋原紙には、１平方メートル当たり１０グラムの混合液が浸漬した。その後、果実袋原紙を乾燥させ５８０平方センチメートル毎に裁断し製袋した。
【００４０】
以上により製造された実施例１に用いた大袋１枚当たりのペルメトリン含浸量は０．１０ミリグラム、大袋１枚当たりのダイアジノンの含浸量は３．００ミリグラムとなった。また、原紙１平方メートル当たりのペルメトリンの含浸量は１．７２ミリグラム、原紙１平方メートル当たりのダイアジノンの含浸量は５１．７２ミリグラムとなった。
【００４１】
調査結果は、下記の表２に示すとおりである。
[実施例２]
【００４２】
実施例２に用いた大袋は、液状のパラフィンワックス１００キログラムにペルメトリン８６．２グラム及びダイアジノン５１７．２４グラムを混入した混合液に、果実袋の原紙を浸漬した。なお、この時、果実袋原紙には、１平方メートル当たり１０グラムの混合液が浸漬した。その後、果実袋原紙を乾燥させ５８０平方センチメートル毎に裁断し製袋した。
【００４３】
以上により製造された実施例２に用いた大袋１枚当たりのペルメトリン含浸量は０．５０ミリグラム、大袋１枚当たりのダイアジノンの含浸量は３．００ミリグラムとなった。また、原紙１平方メートル当たりのペルメトリンの含浸量は８．６２ミリグラム、原紙１平方メートル当たりのダイアジノンの含浸量は５１．７２ミリグラムとなった。
【００４４】
大袋に浸漬した薬剤の量以外は実施例１と同じである。
調査結果は、下記の表２に示すとおりである。
【００４５】
[実施例３]
実施例３に用いた大袋は、液状のパラフィンワックス１００キログラムにペルメトリン２５８．６グラム及びダイアジノン５１７．２４グラムを混入した混合液に、果実袋の原紙を浸漬した。なお、この時、果実袋原紙には、１平方メートル当たり１０グラムの混合液が浸漬した。その後、果実袋原紙を乾燥させ５８０平方センチメートル毎に裁断し製袋した。
【００４６】
以上により製造された実施例３に用いた大袋１枚当たりのペルメトリン含浸量は１．５０ミリグラム、大袋１枚当たりのダイアジノンの含浸量は３．００ミリグラムとなった。また、原紙１平方メートル当たりのペルメトリンの含浸量は２５．８６ミリグラム、原紙１平方メートル当たりのダイアジノンの含浸量は５１．７２ミリグラムとなった。
【００４７】
大袋に浸漬した薬剤の量以外は実施例１と同じである。
調査結果は、下記の表２に示すとおりである。
【００４８】
[実施例４]
実施例４に用いた大袋は、液状のパラフィンワックス１００キログラムにペルメトリン５１７．２グラム及びダイアジノン５１７．２グラムを混入した混合液に、果実袋の原紙を浸漬した。なお、この時、果実袋原紙には、１平方メートル当たり１０グラムの混合液が浸漬した。その後、果実袋原紙を乾燥させて５８０平方センチメートル毎に裁断し製袋した。
【００４９】
以上により製造された実施例４に用いた大袋１枚当たりのペルメトリン含浸量は３．００ミリグラム、大袋１枚当たりのダイアジノンの含浸量は３．００ミリグラムとなった。また、原紙１平方メートル当たりのペルメトリンの含浸量は５１．７２ミリグラム、原紙１平方メートル当たりのダイアジノンの含浸量は５１．７２ミリグラムとなった。
【００５０】
大袋に浸漬した薬剤の量以外は実施例１と同じである。
調査結果は、下記の表２に示すとおりである。
[実施例５]
実施例５に用いた大袋は、液状のパラフィンワックス１００キログラムにペルメトリン１７２４．１グラム及びダイアジノン５１７．２グラムを混入した混合液に、果実袋の原紙を浸漬した。なお、この時、果実袋原紙には、１平方メートル当たり１０グラムの混合液が浸漬した。その後、果実袋原紙を乾燥させて５８０平方センチメートル毎に裁断し製袋した。
【００５１】
以上により製造された実施例４に用いた大袋１枚当たりのペルメトリン含浸量は１０．００ミリグラム、大袋１枚当たりのダイアジノンの含浸量は３．００ミリグラムとなった。また、原紙１平方メートル当たりのペルメトリンの含浸量は１７２．４１ミリグラム、原紙１平方メートル当たりのダイアジノンの含浸量は５１．７２ミリグラムとなった。
【００５２】
大袋に浸漬した薬剤の量以外は実施例１と同じである。
調査結果は、下記の表２に示すとおりである。
【００５３】
【表２】
2008005828.tif 000004
【００５４】
[比較例１]
比較例１に用いた大袋は、液状のパラフィンワックスに、果実袋原紙を浸漬した。なお、この時、果実袋原紙には、１平方メートル当たり１０グラムの混合液が浸漬した。その後、果実袋原紙を乾燥させて５８０平方センチメートル毎に裁断し製袋した。
【００５５】
大袋に浸漬した薬剤の種類及び量以外は実施例１と同じである。
調査結果は、下記の表３に示すとおりである。
【００５６】
[比較例２]
比較例２に用いた大袋は、１００キログラムの液状のパラフィンワックスにダイアジノン８６２１グラムを混入した混合液に、果実袋の原紙を浸漬した。なお、この時、果実袋原紙には、１平方メートル当たり１０グラムの混合液が含浸した。その後果実袋原紙を乾燥させて５８０平方センチメートル毎に裁断し製袋した。
【００５７】
以上により製造された比較例２に用いた大袋１枚当たりのダイアジノンの含浸量は５．００ミリグラムとなった。また、原紙１平方メートル当たりのダイアジノンの含浸量は８６．２１ミリグラムとなった。
【００５８】
大袋に浸漬した薬剤の種類及び量以外は実施例１と同じである。
調査結果は、下記の表３に示すとおりである。
【００５９】
[比較例３]
比較例３に用いた大袋は、１００キログラムの液状のパラフィンワックスにダイアジノン１７２４１グラムを混入した混合液に、果実袋の原紙を浸漬した。なお、この時、果実袋原紙には、１平方メートル当たり１０グラムの混合液が含浸した。その後、果実袋原紙を乾燥させて５８０平方センチメートル毎に裁断し製袋した。
【００６０】
以上により製造された比較例３に用いた大袋１枚当たりのダイアジノンの含浸量は１０．００ミリグラムとなった。また、原紙１平方メートル当たりのダイアジノンの含浸量は１７２．４１ミリグラムとなった。
【００６１】
大袋に浸漬した薬剤の種類及び量以外は実施例１と同じである。
調査結果は、下記の表３に示すとおりである。
【００６２】
[比較例４]
比較例４に用いた大袋は、１００キログラムの液状のパラフィンワックスにプロチオホス（トクチオン）８６２グラムを混入した混合液に、果実袋の原紙を浸漬した。なお、この時、果実袋原紙には、１平方メートル当たり１０グラムの混合液が含浸した。その後、果実袋原紙を乾燥させて５８０平方センチメートル毎に裁断し製袋した。
【００６３】
以上により製造された比較例４に用いた大袋１枚当たりのプロチオホス（トクチオン）の含浸量は０．５０ミリグラム、原紙１平方メートル当たりのプロチオホス（トクチオン）の含浸量は８．６２ミリグラムとなった。
【００６４】
大袋に浸漬した薬剤の種類及び量以外は実施例１と同じである。
調査結果は、下記の表３に示すとおりである。
【００６５】
[比較例５]
比較例５に用いた大袋は、１００キログラムの液状のパラフィンワックスにプロチオホス１７２４グラムを混入した混合液に、果実袋の原紙を浸漬した。なお、この時、果実袋原紙には、１平方メートル当たり１０グラムの混合液が含浸した。その後、果実袋原紙を乾燥させて５８０平方センチメートル毎に裁断し製袋した。
【００６６】
以上により製造された比較例５に用いた大袋１枚当たりのプロチオホス（トクチオン）の含浸量は１．００ミリグラム、原紙１平方メートル当たりのプロチオホス（トクチオン）の含浸量は１７．２４ミリグラムとなった。
【００６７】
大袋に浸漬した薬剤の種類及び量以外は実施例１と同じである。
調査結果は、下記の表３に示すとおりである。
【００６８】
【表３】
2008005828.tif 000005
【００６９】
以上の実施例及び比較例から明らかなように、ペルメトリンの塗布量が少なくとも果実袋の原紙１平方メートル当たり１．７２ミリグラムから１７２．４１ミリグラムの範囲で、ダイアジノンの塗布量が少なくとも果実袋の原紙１平方メートル当たり５１．７２ミリグラムのときにシンクイムシ及びカイガラムシの被害は発生していない。薬剤の量が多いほど防虫効果は高まるものであるから、ペルメトリンの塗布量が果実袋の原紙１平方メートル当たり１．７２ミリグラム以上であって、ダイアジノンの塗布量が果実袋の原紙１平方メートル当たり５１．７２ミリグラム以上のときに、シンクイムシ及びカイガラムシによる被害は発生しない。
【００７０】
また、ペルメトリンの塗布量が少なくとも果実袋の原紙１平方メートル当たり１７４．４１ミリグラムのときに、果実の残留農薬量は０．０６ｐｐｍである。したがって、少なくとも、ペルメトリンの塗布量が果実袋の原紙１平方メートル当たり１７２．４１ミリグラム以下であれば、ペルメトリンの残留農薬基準値である２．０ｐｐｍを超えることはない。
【００７１】
また、ダイアジノンの塗布量が少なくとも果実袋の原紙１平方メートル当たり２０６．９０ミリグラムときに、果実の残留農薬量は、０．１０ｐｐｍである。したがって、少なくとも、ダイアジノンの塗布量が果実袋の原紙１平方メートル当たり２０６．９０ミリグラム以下であれば、ダイアジノンの残留農薬基準値である０．１ｐｐｍを超えることはない。
【００７２】
以上のことから、ペルメトリンの果実袋の原紙１平方メートル当たりの塗布量が１．７２ミリグラム以上１７２．４１ミリグラム以下であって、ダイアジノンの果実袋の原紙１平方メートル当たりの塗布量が５１．７２ミリグラム以上２０６．９０ミリグラム以下のときには、果実の残留農薬基準値以下の残留農薬量で、シンクイムシやカイガラムシの被害を防ぐことができる。
【産業上の利用可能性】
【００７３】
以上のように、本発明に係る果実袋は、例えば二十世紀梨等の果実の栽培に用いる果実袋に適用できる。
【図面の簡単な説明】
【００７４】
【図１】本実施形態の果実袋１の正面図である。
【図２】本実施形態の果実袋１の使用状態説明図である。
【符号の説明】
【００７５】
１  果実袋
２  外袋
３  内袋
４  梨
【図１】
2008005828.tif 000006
【図２】
2008005828.tif 000007